(57)【要約】【課題】  アスパラガスに付着したジュウシホシクビナガハムシを簡単に捕獲できる虫捕り器を提供する。【解決手段】  筒状の本体２の底部には底板３が形成されている。この底板３にはアスパラガス３２のりん片葉に挿入可能な挿入口４が形成され、アスパラガス３２から落下したジュウシホシクビナガハムシ３３は底板３上に受支される。本体２の上方には回収口１４が有り、回収袋１６が取り付けられている。本体２を逆さにすると、回収袋１６にジュウシホシクビナガハムシ３３を集めることができる。【選択図】図３
0003131998.tif 000002
【実用新案登録請求の範囲】
【請求項１】
アスパラガスの栽培においてアスパラガスに付着する害虫を捕獲するための虫捕り器であって、筒状の本体と、該本体の底部に形成されアスパラガスのりん片葉に挿入可能な挿入口を有し落下した害虫を受支する底板と、本体の上部に開口する回収口を具備することを特徴とするアスパラガス栽培用の虫取り器。
【請求項２】
上記本体の回収口には、回収パックが設けられている請求項１に記載のアスパラガス栽培用の虫捕り器。
【請求項３】
上記底板には、挿入口の周縁から本体内部に向かって突出する筒状壁が形成されている請求項１または２のいずれかに記載のアスパラガス栽培用の虫取り器。
【請求項４】
上記挿入口には、アスパラガスの挿入を案内する挿入案内面が形成されている請求項１乃至３のいずれかに記載のアスパラガス栽培用の虫取り器。
【請求項５】
上記本体は、上部に向かってすぼまっている略円錐形状に形成されている請求項１乃至４のいずれかに記載のアスパラガス栽培用の虫捕り器。
【請求項６】
上記回収パックは回収袋であり、上記回収口に形成した首部に着脱可能に取り付けられている請求項２乃至５のいずれかに記載のアスパラガス栽培用の虫取り器。
【請求項７】
上記回収袋は、上記首部にねじ着したリングにより該首部の外周面と該リングの内周面で挟着されている請求項６に記載のアスパラガス栽培用の虫捕り器。
【請求項８】
上記回収口には、該回収口の内径よりも先端部の内径を小さく形成した先端部材が設けられている請求項１乃至７のいずれかに記載のアスパラガス栽培用の虫取り器。
【請求項９】
上記回収口には、該回収口を開閉する開閉手段が設けられている請求項１に記載のアスパラガス栽培用の虫取り器。
【考案の詳細な説明】
【技術分野】
【０００１】
本発明は、アスパラガスの栽培においてアスパラガスに付着する害虫を捕獲するための虫捕り器に関するものである。
【背景技術】
【０００２】
アスパラガスの栽培において、ジュウシホシクビナガハムシによる虫害は深刻な問題である。ジュウシホシクビナガハムシは、早春の萌芽初期から収穫期間中にかけて若茎のりん片葉や表皮を食害する。食害にあうと、茎が曲がったり、欠芽したり、変色したりするため、Ｂ級品扱いとなり、商品価値が著しく低下してしまう。また、多発すると収穫が皆無になってしまったり、収穫後も葉や茎を食害する結果、株全体を枯らしてしまうため、アスパラガス農家にとってジュウシホシクビナガハムシによる虫害は死活問題である。
【０００３】
ジュウシホシクビナガハムシによる虫害対策として一般的には農薬を散布する方法が知られている（例えば、特許文献１参照）。しかし、農薬を機械等で散布しようとしても、その匂いや機械による風圧を感知され、致死量に達する前に畑から飛び去って逃げられてしまい、充分な殺虫効果が期待できない。また、近年無農薬野菜への関心が高まっている点からも、農薬の散布は望ましい方法とはいえない。そこで、農薬の散布によって殺虫しきれなかったり、無農薬栽培をしたりする場合には、アスパラガスに付着したジュウシホシクビナガハムシを手作業によって一匹ずつ捕殺しなければならない。しかしながら、ジュウシホシクビナガハムシは大変敏感な虫で、危険を察知すると素早くアスパラガスから地面へと落下して、地中に潜り込む習性があるため、その捕殺は大変困難で手間のかかる作業である。
【特許文献１】特開平５−２２１８１８号公報（請求項１０）
【考案の開示】
【考案が解決しようとする課題】
【０００４】
本考案が解決しようとする課題は、アスパラガスに付着したジュウシホシクビナガハムシが地面に落ちてしまう前に簡単に捕獲できる虫捕り器を提供することである。
【課題を解決するための手段】
【０００５】
本考案は、ジュウシホシクビナガハムシの習性を利用して捕獲できるようにした虫取り器であって、筒状の本体と、該本体の底部に形成されアスパラガスのりん片葉に挿入可能な挿入口を有し落下した害虫を受支する底板と、該本体の上部に開口する回収口を具備するアスパラガス栽培用の虫捕り器が提供され、好ましくは上記回収口に回収パックを有するアスパラガス栽培用の虫捕り器が提供され、上記課題が解決される。
【考案の効果】
【０００６】
本考案は上記のように構成され、筒状の本体の底部にアスパラガスのりん片葉に挿入可能な挿入口を有する底板を形成したので、アスパラガスに付着したジュウシホシクビナガハムシを捕獲する際には、アスパラガスの上から上記虫捕り器を素早く差し込めばよい。ジュウシホシクビナガハムシは危険を察知するとアスパラガスから落下して地面に潜り込もうとする習性を持っているから、上記虫捕り器を差し込むと、本体底部の底板上に落下して受支される。落下しない場合であっても、該虫捕り器を差し込んだ状態で左右に揺すれば、ジュウシホシクビナガハムシは本体底部の底板上に確実に落下し、捕獲することができる。落下したジュウシホシクビナガハムシは、挿入口に突設した筒状壁により脱出が防止され、本体内部に閉じ込めることができる。そして、捕獲後、本体をひっくり返せば、回収口から回収でき、この回収口に回収パックを設けておくと、該回収パックに集めることができる。その後、本体から回収パックを取り外して液体殺虫剤等を注入すれば簡単に駆除ができ、該パックのみを処分すればよい。なお、液体殺虫剤等は、回収パックを本体から取り外す前に上記挿入口等から注入してもよい。
【考案を実施するための最良の形態】
【０００７】
図１、図２は、本考案の虫捕り器１の一実施例を示し、筒状の本体２は、内部を透視できるよう好ましくは透明性を有するプラスチック材料で形成され、上方に向かってすぼまっている略円錐状に形成されているが、その他の適宜な形状に形成することができる。また、その高さはアスパラガスのりん片葉を収納できる長さ（高さ）に形成してあるが、さらに高く（長く）形成することもでき、高さの途中で上下に本体を分離して使用時に連結するようにしてもよい。
【０００８】
上記本体２の底部には害虫を受支する底板３が形成されている。この底板３にはアスパラガスのりん片葉に挿入可能な円形状の挿入口４が形成され、該挿入口４の周縁から本体２の内部に向かって略円筒形状に突出する筒状壁５が形成されている。また、アスパラガスを傷つけないように、挿入口４の適宜の位置には、挿入を案内する弧状の案内面６が形成されている。図１に示す実施例では挿入口４と筒状壁５を有する別体の挿入口部材７を形成し、該挿入口部材７の下方に案内面６を有する傘状の案内部８を設け、該挿入口部材７を本体の底板３に挿入して固定してあるが、図４に示すように上記底板３自体に挿入口９、筒状壁１０及び案内面１１を形成してもよいし、図５に示すように筒状壁１２の内方端にも弧状の案内面１３を形成することができる。なお、アスパラガスのりん片葉は横断面形状が略円形状であるから、挿入口４の横断面形状は、図に示すように、円形状に形成するのが望ましいが、円形状に限られるものではなく、楕円形状や多角形状等アスパラガスのりん片葉に挿入可能な適宜形状であればよい。また、図に示す実施例では、筒状壁５は略円筒形状に形成されているが、挿入口４の形状に合わせて適宜の形状に形成することができる。
【０００９】
本体２の上部には、回収口１４を有する略円筒形状の首部１５が形成されており、該首部１５には、回収パックが装着されている。該回収口１４及び首部１５の形状は、横断面円形状に形成してあるが、断面楕円形状や多角形状に形成してもよく、また、該回収パックとしては、好ましくは図に示すようにプラスチック製の軟質性のある回収袋１６を使用するとよい。この回収袋１６は、上記首部１５の外周面に螺合するリング１７を形成し、該リング１７を首部１５にねじ着するとき、回収袋１６の開口部の自由端１８を挟み込んで一緒に螺着して挟着しているが、内方に付勢するスプリング部材等の挟着部材や弾性リング、輪ゴム等の止着部材等の適宜な取付部材で着脱可能に取り付けてもよい。図に示す実施例では、使用時の利便性を考慮して回収袋を用いているが、回収用部材は、必ずしも回収袋に限られるものではなく、本体と連結した際、該本体内部と連通する適宜の回収用パックを用いてもよい。
【００１０】
上記実施例では回収口が回収パック内に直接的に開口しているが、図６に示すように、首部１９に先端部材２０を取り付けてもよい。そして、この先端部材２０の先端部の内径を回収口２１の内径よりも小さく、具体的には害虫が通過できる程度に小さく形成しておけば、該先端部材２０を通って回収袋２２に回収された害虫が本体２３内に容易にもどらないようにでき、作業性がよい。なお、この先端部材２０は上記首部１９にねじ着してあるが本体と一体的に形成することができ、また、回収袋２２は該先端部材２０の外周を覆うようにかぶせてから、自由端２４を輪ゴム２５等でとめればよい。
【００１１】
また、図７に示すように回収袋を取り付けてもよい。すなわち、回収袋２６の開口部の自由端２７を首部２８に取り付ける際、該自由端２７が回収袋２６の内側に入り込むように折り込んでリング２９に被せ、その状態でリング２９を首部２８に螺着すれば、回収袋２６の自由端２７は回収口３０の上方に位置するから、回収袋２６に害虫が入るときは容易であるが、回収袋２６に移動したジュウシホシクビナガハムシが回収口３０を通って本体３１内に戻ってくる可能性は格段に低くなる。なお、回収口に該回収口を開閉する適宜の開閉手段を設ければ、開閉操作により一旦回収袋に入ったジュウシホシクビナガハムシが本体に確実に戻ってこないようにできる（図示略）。
【００１２】
アスパラガスに付着したジュウシホシクビナガハムシを捕獲する際には、図３に示すように、アスパラガス３２に挿入口４をあわせてアスパラガス３２に素早く挿入する。ジュウシホシクビナガハムシ３３は、危険を察知するとアスパラガス３２から落下して地面に潜り込もうとする性質を有しているので、直ちに底板３上に落下する。この際、もし落下しない害虫があっても、アスパラガス３２に差し込んだ状態で左右に揺すれば、ジュウシホシクビナガハムシ３３は、簡単に底板３上に落下する。底板３には筒状壁５が形成されているから、一旦底板３上に落下したジュウシホシクビナガハムシ３３は、再び挿入口４から外へ出ることはできない。
【００１３】
上記の要領でジュウシホシクビナガハムシ３３を捕獲した後、アスパラガス３２から上方に抜き取り、逆さにすれば、底板３上に落下しているジュウシホシクビナガハムシ３３は回収口１４を通って回収袋１６へと移動する。該本体２を上部に向かってすぼまっている略円錐形状に形成すれば、該移動はさらにスムーズになる。
【００１４】
ジュウシホシクビナガハムシ３３を回収袋１６へ移動させた後、本体２から回収袋１６を取り外して液体殺虫剤等を注入すれば簡単に駆除ができ、該回収袋１６のみを処分すればよい。なお、液体殺虫剤等は、回収袋１６を本体２から取り外す前に上記挿入口４等から注入してもよい。
【図面の簡単な説明】
【００１５】
【図１】本考案の虫捕り器の一実施例を示す斜視図である。
【図２】図１の半断面図である。
【図３】使用状態を示す斜視図である。
【図４】挿入口の他の実施例の一部を示す横断面図である。
【図５】挿入口の他の実施例の一部を示す横断面図である。
【図６】回収口の他の実施例を示す横断面図である。
【図７】回収口のさらに他の実施例を示す横断面図である。
【符号の説明】
【００１６】
１  虫捕り器
２、２３、３１  本体
３  底板
４、９  挿入口
５、１０、１２  筒状壁
６、１１、１３  案内面
７  挿入口部材
８  案内部
１４、２１、３０  回収口
１５、１９、２８  首部
１６、２２、２６  回収袋
１７、２９  リング
１８、２４、２７  自由端
２０  先端部材
２５  輪ゴム
３２  アスパラガス
３３  ジュウシホシクビナガハムシ
【図１】
0003131998.tif 000003
【図２】
0003131998.tif 000004
【図３】
0003131998.tif 000005
【図４】
0003131998.tif 000006
【図５】
0003131998.tif 000007
【図６】
0003131998.tif 000008
【図７】
0003131998.tif 000009